(57)【要約】      （修正有）【課題】フィルムを表示パネルに貼り付ける際のタクトタイムの制限，気泡や糊引き及び視覚ムラなどの発生による不良現象を解決し、高精度で且つ高速度で気泡や糊引きや視覚ムラの無い表示装置の製造方法及びその製造装置を提供する。【解決手段】偏光板Ｐの２箇所を吸着ステージＰＳ１，ＰＳ２に保持して液晶セルＣの主面近傍に平行に位置決めした後に液晶セルＣの主面に偏光板Ｐの一部を押し付けて接触させ、その後に偏光板Ｐの一部から液晶セルＣの主面の第１の方向沿いに液晶セルＣの主面の一端に向けて液晶セルＣの主面に押し付け、その後に偏光板Ｐを第１の方向沿いに液晶セルＣの主面の他端に向けて液晶セルＣの主面に押し付けることで液晶セルＣの主面に偏光板Ｐを貼り付ける。【選択図】図４（ａ）
2005156907.tif 000002
【特許請求の範囲】
【請求項１】
第１の方向及び当該第１の方向と交差する第２の方向に沿って拡がる主面を有する表示パネルを備え、且つ当該表示パネルの主面にフィルムが貼り付けられた表示装置の製造方法において、
前記フィルムの一部を前記表示パネルの主面の前記第１の方向に対向し合う一端及び他端の何れかからも離間して当該表示パネルの主面に接触させる第１の工程と、
前記フィルムを前記一部から前記第１の方向沿いに前記表示パネルの主面の前記一端に向けて当該表示パネルの主面に押し付ける第２の工程と、
前記フィルムを前記第１の方向沿いに前記表示パネルの主面の前記他端に向けて当該表示パネルの主面に押し付ける第３の工程と、
を含むことを特徴とする表示装置の製造方法。
【請求項２】
前記表示装置が液晶表示装置とすることを特徴とする請求項１に記載の表示装置の製造方法。
【請求項３】
第１の方向及び当該第１の方向と交差する第２の方向に沿って拡がる主面を有する表示パネルを備え、且つ当該表示パネルの主面にフィルムが貼り付けられた表示装置の製造装置において、
前記表示パネルをその主面の背面で保持し、且つ前記第１の方向に移動する表示パネル保持手段と、
前記表示パネル保持手段に対向配置され、且つ前記フィルムをその貼り付け面の背面で少なくとも２箇所で保持する第１の保持部と第２の保持部とを同一平面上に有し、当該各第１の保持部，第２の保持部が前記同一平面上に沿って移動する一対のフィルム保持手段と、
前記一対のフィルム保持手段の前記第１の保持部と前記第２の保持部との間に配設されて前記フィルムの一部を前記表示パネルの主面に接触させ、且つ前記第１の保持部，第２の保持部の移動に同期して前記表示パネルの主面に沿って往復移動する少なくとも１つの貼り付け手段と、
を備え、
前記表示パネルの主面に前記フィルムの一部を接触させた後に前記貼り付け手段を、前記第１の方向沿いに前記表示パネルの主面の前記一端に向けて当該表示パネルの主面に沿って移動させた後、前記第１の方向沿いに前記表示パネルの主面の前記他端に向けて当該表示パネルの主面に沿って移動させることにより、前記表示パネルの主面にフィルムを貼り付けることを特徴とする表示装置の製造装置。
【請求項４】
前記貼り付け手段が回転可能な円筒形ローラであることを特徴とする請求項３に記載の表示装置の製造装置。
【請求項５】
前記貼り付け手段が揺動可能な円筒の曲面部若しくはその一部の形状であることを特徴とする請求項３に記載の表示装置の製造装置。
【請求項６】
前記貼り付け手段が前記フィルムを前記表示パネルの主面に押し当てる動きの角度を前記表示パネルの主面から略４５度以下であることを特徴とする請求項３〜請求項５の何れかに記載の表示装置の製造装置。
【発明の詳細な説明】
【技術分野】
【０００１】
本発明は、表示装置の製造方法及びその製造装置に係り、特に硬い平面状の表示面を有する表示パネルの主面に柔らかいフィルムを高精度で且つ高効率で貼り付け作業を実現可能とするフィルムの貼り付け方法及びその貼り付け装置に関するものである。
【背景技術】
【０００２】
フィルム状の部材を被貼り付け部材として例えば表示パネルの主面に貼り付ける従来の貼り付け方法及びその貼り付け装置としては、下記「特許文献１」に記載されているように液晶表示装置では、貼り付け工程で切断された偏光板フィルムを液晶セルに貼り付ける方式が知られている。
【０００３】
この貼り付け方法は、まず、最初に切断工程にて切断された偏光板フィルムを液晶セルの上まで、貼り付けローラ付きの貼り付けヘッドを用いて搬送し、液晶セル上でその貼り付けヘッドを貼り付けローラのある側を下に傾けながら、下降させる。
【０００４】
次に、貼り付けローラに押された偏光板フィルムの一端が偏光板フィルムとほぼ同形状の液晶セルの一端に接触する時点で下降を停止し、その後、液晶セルに接触した貼り付けローラを転がしながら、液晶セルの一端から反対側の他端まで順次液晶セルの全面に貼り付けていくことで液晶セルの全面に偏光板フィルムを貼り付ける。フィルム部材を被貼り付け部材に貼り付ける方法及びその貼り付け装置としては本方法が最も一般的であることが知られている。
【０００５】
また、液晶セルを上方に、偏光板フィルムを下方に位置させた方式を採用した貼り付け方法及びその貼り付け装置も知られているが、基本的には、下記「特許文献１」に記載の方式である偏光板フィルムの一端を液晶セルの一端に貼り付けてから順次反対側の他端に向けて貼り付けていく方式と同じである。類似の公知例として、下記「特許文献２」，「特許文献３」及び「特許文献４」などが挙げられる。
【０００６】
また、下記「特許文献５」または「特許文献６」においては、貼り付けローラを半円筒形状部材とした場合の実施例がそれそれ記載されている。これらの「特許文献５」及び「特許文献６」に記載の方式では、半円筒形部材の一端を用いて偏光板フィルムの一端を液晶セルの一端に貼り付けた後に、半円筒部材の円筒曲面に沿って液晶セル上を転がしていくことにより、偏光板フィルムを液晶セルから順次貼り付ける方式である。これらの方式は，偏光板フィルムを液晶セルの一端から順次液晶セルの全面に貼り付けるという点から、上述した「特許文献１」に記載の偏光板フィルムの一端を液晶セルの一端に貼り付けてから順次反対側の他端に向けて貼り付けていく方式と同類の方法及びその装置とほぼ同じである。
【０００７】
なお、この種の従来技術に関しては、例えば下記「特許文献１」乃至「特許文献７」に開示されている。
【特許文献１】特開２００３−１６１９３５号公報
【特許文献２】特開平０６−３４７７７９号公報
【特許文献３】特開平０６−３０８４４４号公報
【特許文献４】特開平０５−００５８７８号公報
【特許文献５】特開２０００−２０４３０４号公報
【特許文献６】特開２００２−１８２０３１号公報
【特許文献７】特開平０８−２８２９０６号公報
【発明の開示】
【発明が解決しようとする課題】
【０００８】
上述した従来技術である偏光板フィルムの一端を液晶セルの一端に貼り付けてから順次反対側の他端に向けて貼り付けていく方式は、液晶表示素子が携帯電話器の表示画面に使用する用途などの比較的小さい場合には生産速度的には問題は無かった。ところが、公称３０インチ前後の画面サイズを有する大形の液晶表示装置などにおいては、貼り付け装置のタクトタイムが長く掛かるという課題があった。これは偏光板フィルムの貼り付け速度はその貼り付け品質を左右する要因であることによるものである。すなわち、貼り付け速度が速過ぎると静電気量が多くなり、貼り付け作業中に偏光板フィルムと液晶セルとの間に雰囲気中のゴミを巻き込んでしまったりすることもある。
【０００９】
また、貼り付け速度が速過ぎると、偏光板フィルムと液晶セルとの間に空気を追い出すことが出来ずに気泡となる場合もある。これらゴミや気泡は液晶表示素子としては不良品の部類であり、製造過程であってはならないものである。この理由のため、大形の液晶表示装置のタクトタイムを速くするには従来方式では限界があるという課題があった。
【００１０】
また、上述した従来技術である偏光板フィルムの一端を液晶セルの一端に貼り付けてから順次反対側の他端に向けて貼り付けていく方式では、最初に貼り付け手段である貼り付けローラ若しくは半円筒部材が偏光板フィルムを液晶セルに押し付ける際、その貼り付け初めに偏光板フィルムの貼り付けられる一端は、貼り付け装置の大きさや作業幅に比べて小さく或いは狭いため、貼り付け時に保持することができず、その貼り付け初め個所の偏光板フィルムと液晶セルとの間に微小な気泡が入り込み易いという課題があった。
【００１１】
これは製品である液晶表示装置の表示面が液晶セルの大きさより小さく、液晶セルの端部が液晶表示装置の表示面に現れない場合は全く問題がなかったが、液晶表示装置の小型化が進み、液晶表示装置の表示面と液晶セルとの大きさがほぼ同じとなってくる場合、製品である液晶表示装置の表示面にその気泡が出てしまって液晶表示機能に弊害を生じていたという課題があった。
【００１２】
さらに、上述した従来技術である偏光板フィルムの一端を液晶セルの一端に貼り付けてから順次反対側の他端に向けて貼り付けていく方式では、最初に貼り付け装置である貼り付けローラ若しくは半円筒部材が偏光板フィルムを液晶セルに押し付ける際、その貼り付け初めに偏光板フィルムの貼り付けられる一端は、偏光板フィルムを完全に液晶セルに貼り付けようとするには、貼り付け装置の接触する位置と偏光板フィルムの端との距離を可能な限り短くとる必要があった。
【００１３】
このため、貼り付け装置が偏光板フィルムと液晶セルとを最初に接触させるポイントにおいて、その衝撃力により偏光板フィルムに塗布された粘着材が偏光板フィルムからはみ出して貼り付け手段に付着してしまい、貼り付け作業中に偏光板フィルムに同一偏光板フィルムの複数箇所或いは複数枚の偏光板フィルムに亘って転写してしまう、所謂糊引きと呼ばれる現象が発生するという課題があった。
【００１４】
また、上述した従来技術において、貼り付け手段が偏光板フィルムと液晶セルとを最初に接触させるポイントにおいて、その衝撃力により偏光板フィルムの厚さが微妙に変化し、液晶表示素子としてその接触点において視覚ムラとなって見えてしまう不良が発生するという課題もあった。
【００１５】
したがって、本発明は、上述した従来の課題を解決するためになされたものであり、その目的は、フィルム状部材を被貼り付け部材としての表示パネルに貼り付ける際の上述の課題であるタクトタイムの制限，気泡や糊引き及び視覚ムラなどの発生による不良現象を解決し、高速度で気泡や糊引きや視覚ムラの無い表示装置の製造方法及びその製造装置を提供することにある。
【課題を解決するための手段】
【００１６】
このような目的を達成するために本発明は、第１の方向及び当該第１の方向と交差する第２の方向に沿って拡がる主面を有する表示パネルを備え、且つ当該表示パネルの主面にフィルムが貼り付けられた表示装置の製造方法において、フィルムの少なくとも２箇所を保持して表示パネルの主面近傍に平行に位置決めした後に表示パネルの主面にフィルムの一部を押し付けて接触させ、その後にフィルムの一部から表示パネルの主面の第１の方向沿いに表示パネルの主面の一端に向けて表示パネルの主面に押し付け、その後にフィルムを第１の方向沿いに表示パネルの主面の他端に向けて表示パネルの主面に押し付けることで表示パネルの主面にフィルムを貼り付けることにより、気泡，糊引き及び視覚ムラなどの発生しないフィルムの貼り付けが達成できる。
【００１７】
また、このような目的を達成するために本発明は、第１の方向及び当該第１の方向と交差する第２の方向に沿って拡がる主面を有する表示パネルを備え、且つ当該表示パネルの主面にフィルムが貼り付けられた表示装置の製造装置において、表示パネルをその主面の背面で保持し、且つ当該第１の方向に移動する表示パネル保持手段と、この表示パネル保持手段に対向配置され、且つフィルムをその貼り付け面の背面で少なくとも２箇所で保持する第１の保持部と第２の保持部とを同一平面上に有し、当該各第１の保持部，第２の保持部が同一平面上に沿って移動する一対のフィルム保持手段と、この一対のフィルム保持手段の第１の保持部と第２の保持部との間に配設されてフィルムの一部を表示パネルの主面に接触させ、且つ第１の保持部，第２の保持部の移動に同期して表示パネルの主面に沿って往復移動する少なくとも１つの貼り付け手段とを備え、表示パネルの主面にフィルムの一部を接触させた後に貼り付け手段を、第１の方向沿いに表示パネルの主面の一端に向けて表示パネルの主面に沿って移動させた後、第１の方向沿いに表示パネルの主面の他端に向けて表示パネルの主面に沿って移動させることにより、表示パネルの主面にフィルムを貼り付けることで気泡や糊引きや視覚ムラの無いフィルム材の貼り付け作業を達成できる。
【００１８】
また、上記表示装置の製造装置の構成において、貼り付け手段が第１の方向に沿って回転可能な円筒形ローラまたは揺動可能な円筒の曲面部若しくはその一部の形状とすることにより、気泡や糊引きや視覚ムラの無いフィルム材の貼り付け作業を達成できる。
【００１９】
さらに、上記表示装置の製造装置の構成において、貼り付け手段がフィルムを表示パネルの主面に押し当てる角度が表示パネルの主面から略４５度以下とすることにより、気泡や糊引きや視覚ムラの無いフィルム材の貼り付け作業を達成できる。
【００２０】
なお、本発明は、前記各構成及び後述する実施の形態に記載される構成に限定されるものではなく、本発明の技術思想を逸脱することなく、種々の変更が可能であることは言うまでもない。
【発明の効果】
【００２１】
以上、説明したように本発明による表示装置の製造方法によれば、表示パネルとフィルムとの貼り付け面で生じていた貼り付け開始ポイントでの微小気泡不良や糊引き不良の発生を解決することができるという極めて優れた効果が得られる。
【００２２】
また、本発明による表示装置の製造装置によれば、貼り付け手段を複数個用いることにより、表示パネルへのフィルムの貼り付けを従来の製造装置に比較して半分以下の時間で高速で貼り付け作業を行うことができるという極めて優れた効果が得られる。
【００２３】
さらに、本発明による表示装置の製造装置によれば、貼り付け手段のフィルムを押し付ける作業面の曲面半径を大きくとること及び貼り付け手段の初期当たり角度をほぼ４５度以下とすることにより、貼り付け手段の初期衝撃力による視覚ムラ不良の発生を解決することができるという極めて優れた効果が得られる。
【発明を実施するための最良の形態】
【００２４】
以下、本発明の実施の形態について、実施例の図面を参照して詳細に説明する。
【００２５】
本発明による表示装置の製造方法及びその製造装置の一実施例を図１〜図９を参照して詳細に説明する。図１は、本発明に係る表示装置の概略構成を示す斜視図である。図１において、Ｌは表示装置としての例えば液晶表示素子、Ｃは画像表示面を有する例えばガラス製の液晶セル（液晶表示パネル）、Ｐは液晶セルＣの主面に貼り付けられたフィルムとしての例えば少なくとも１枚の樹脂薄膜の積層体からなる偏光板、Ａは偏光板Ｐの貼り付け面に予め塗布されている粘着剤である。
【００２６】
ガラス製の液晶セルＣの大きさは、対角線の長さが約１インチ程度から約４０インチ以上に至るまでの範囲が対象であるが、本発明に係る偏光板Ａの貼り付け作業は主として約２８インチ以上の大形液晶セルＣへの貼り付け作業に適している。また、偏光板Ｐの貼り付け作業は、量産品につき高速作業が要求されている一方で慎重な作業が必要とされる。それは液晶セルＣの貼り付け主面内に空気の塊が入る気泡不良や偏光板Ｐを強く押し付け過ぎることによって粘着剤Ａが偏光板Ｐの端部からはみ出す糊引き不良や同じく偏光板Ｐを強く押し付け過ぎることによって偏光板Ｐや粘着剤Ａの厚みがばらついて画面内にスジのように見える視覚ムラ不良が発生するためである。
【００２７】
以下、本発明の要旨の理解を容易にするために現状の貼り付け方法及びその貼り付け装置について説明する。
図２は、現状の液晶セルＣに偏光板Ｐを貼り付け方法及びその貼り付け装置を説明する断面図であり、図２（ａ）〜図２（ｈ）はその貼り付け工程を説明する図である。図２（ａ）は、液晶セルＣ及び偏光板Ｐの投入前の貼り付け装置の位置関係を示す説明図である。図２（ａ）に示すように貼り付け装置内の所定位置には、液晶セルＣの吸着ステージＣＳと、偏光板Ｐの吸着ステージＰＳとが平行な状態で待機している。また、偏光板Ｐの吸着ステージＰＳの左端には、貼り付け作業の際に偏光板Ｐを液晶セルＣに押し付ける貼り付けローラが備え付けられている。
【００２８】
液晶セルＣ並びに偏光板Ｐは、それぞれの吸着ステージＣＳ，ＰＳに位置決め、セットできるように上下方向には干渉しない位置で待機する。なお、液晶セルＣ並びに偏光板Ｐの位置決めセットは、それぞれ個別の機構（図示せず）にて行われるが、マニュアル作業でも構わない。
【００２９】
まず、最初に図２（ｂ）に示すように液晶セルＣは吸着ステージＣＳの下方に、また、偏光板Ｐは吸着ステージＰＳの上方にそれぞれ真空吸着により搭載される。偏光板Ｐの貼り始め位置は、貼り付けローラＲ上部の所定の位置にかかるように位置決めセットされる。次に図２（ｃ）に示すように液晶セルＣを搭載した吸着ステージＣＳが偏光板Ｐを搭載した吸着ステージＰＳの上方の所定位置に矢印で示す左方向に移動する。
【００３０】
次に図２（ｄ）に示すように偏光板Ｐを搭載した吸着ステージＰＳは、所定の角度だけ傾き、吸着ステージＰＳの左端の装着された貼り付けローラＲによって偏光板Ｐがその上方に位置した吸着ステージＣＳに搭載された液晶セルＣの左端に接触して押し付けられ、狭い帯状の領域において液晶セルＣと偏光板Ｐとが貼り付けられる。
【００３１】
次に図２（ｅ）に示すように液晶セルＣを搭載した吸着ステージＣＳが偏光板Ｐを吸着したまま傾斜した吸着ステージＰＳに対して相対的に矢印で示す左方向に移動する。この時、液晶セルＣと偏光板Ｐとはそれぞれの端部同士を最初に接合したため、吸着ステージＣＳの動きと同期して液晶セルＣ及び偏光板Ｐのそれぞれの貼り付け面同士が接合されていく。
【００３２】
貼り付けローラＲは、液晶セルＣと偏光板Ｐとの間に空気が溜まって気泡とならないように吸着ステージＣＳの矢印で示す左方向の移動に同期して回転し、偏光板Ｐを液晶セルＣに押し付けていく。その間、偏光板Ｐに適正なテンションを負荷しながら、貼り付けを行うため、図２（ｆ）に示すように吸着ステージＣＳの移動に伴って偏光板Ｐは吸着ステージＰＳ上を滑っていく。ここで、吸着ステージＰＳの偏光板Ｐに対する吸着力は偏光板Ｐが傷つかないレベルとなるように事前に調整してある。
【００３３】
また、品質上、問題がなければ、図２（ｄ）にて液晶セルＣと偏光板Ｐとが狭い帯状の領域に貼り付けされた後に吸着を解除しても構わない。更には偏光板Ｐに適正なテンションがかかるようにセンサを取り付けてダイナミックに吸着力を制御することも可能である。
【００３４】
次に図２（ｇ）に示すように液晶セルＣに偏光板Ｐを貼り終えて液晶表示素子Ｌとして完成品にした後、偏光板Ｐを搭載していた吸着ステージＰＳは矢印で示す下方向に初期位置と同じ水平位置に戻し、貼り付けローラＲを液晶表示素子Ｌから離す。この状態で図２（ｈ）に示すようにアンローダ（図示せず）で液晶表示素子Ｌを排出するが、これもマニュアル動作でも構わない。この後、吸着ステージＣＳ，ＰＳを上述した図２（ａ）に示す初期位置に戻し、次の液晶セルＣと偏光板Ｐとの貼り付けを行うものである。
【００３５】
このように現状の貼り付け方法及びその貼り付け装置では、偏光板Ｐの貼り付け速度はその貼り付け品質を左右する要因であるため、特に大形の液晶表示装置の場合に生産速度を上げることができず、量産性を阻害する原因となっていた。速く貼り過ぎると、ゴミや気泡を液晶セルＣと偏光板Ｐとの間に巻き込む可能性があったためである。
【００３６】
また、現状の貼り付け方法及びその貼り付け機構では、貼り初め個所において偏光板Ｐを保持することができず、液晶セルＣと偏光板Ｐとの貼り付け初め個所に微小な気泡が入り易くなるとか、偏光板Ｐの裏に塗布された粘着剤Ａがはみ出し易い糊引きと呼ばれる課題があった。
【００３７】
さらに、現状の貼り付け方法及びその貼り付け装置では、液晶セルＣと偏光板Ｐとが最初に接触するポイントにおいて、その接触時の衝撃で偏光板Ｐの厚さに変化が生じて表示画面では視覚ムラと呼ばれる課題もあった。
【００３８】
図３は、現状の貼り付け方法を用いて液晶セルＣと偏光板Ｐとを貼り付けた場合に生じ得る糊引き不良及び視覚ムラ不良の発生状態を説明する断面図である。図３に示すように偏光板Ｐには予め粘着剤Ａが塗布されており、その粘着剤Ａを介して液晶セルＣと偏光板Ｐとが接合されている。貼り付けローラＲが偏光板Ｐの端部を液晶セルＣの端部に押付ける際、貼り付けローラＲの押圧力により、粘着剤Ａの一部が偏光板Ｐの端部よりはみ出して糊引き部ＡＡを生じる可能性があった。この糊引き部ＡＡが貼り付けローラＲに付着すると、粘着剤Ａを貼り付けローラＲの外周分のピッチで偏光板Ｐの表面上に転写してしまうものである。
【００３９】
また、液晶セルＣと偏光板Ｐとの初めの貼り付け工程において、貼り付けローラＲの押圧力により、偏光板Ｐ及び粘着剤Ａの厚みが変化してしまい、窪みＰＧを形成すると、表示画面上では視覚ムラとなって現れる可能性があった。
【実施例１】
【００４０】
図４は、本発明による表示装置の製造方法及びその製造装置の一実施例である液晶セルＣと偏光板Ｐとの貼り付け方法及びその貼り付け装置を説明する断面図であり、図４（ａ）〜図４（ｈ）貼り付け工程を示している。
【００４１】
図４（ａ）は、液晶セルＣ及び偏光板Ｐの投入前の貼り付け装置の位置関係を示す説明する断面図である。図４（ａ）に示すように貼り付け装置内の所定位置には、液晶セルＣを保持させる吸着ステージＣＳと、偏光板Ｐを保持させる吸着ステージＰＳ１及び吸着ステージＰＳ２とが平行な状態で待機して配置されている。また、平行な状態で配置されている偏光板Ｐの吸着ステージＰＳ１と吸着ステージＰＳ２との中央には、貼り付け作業の際に偏光板Ｐを液晶セルＣに押し付ける貼り付けローラＲが回転自在に配設されている。
【００４２】
また、液晶セルＣ並びに偏光板Ｐは、それぞれの吸着ステージＣＳ，ＰＳ１，ＰＳ２に位置決め、セットできるように上下方向には互いに干渉しない位置で待機する。液晶セルＣ並びに偏光板Ｐの位置決め、セットは、それぞれ個別の機構（図示せず）にて行われるが、マニュアル作業でも構わない。
【００４３】
まず、最初に図４（ｂ）に示すように液晶セルＣは、吸着ステージＣＳの下方に、また、偏光板Ｐは吸着ステージＰＳ１，ＰＳ２及び貼り付けローラＲの上方にそれぞれ所定位置に位置決め、セットされて真空吸着により保持されて搭載される。次に図４（ｃ）に示すように液晶セルＣを搭載した吸着ステージＣＳが矢印で示す左方向に偏光板Ｐを搭載した吸着ステージＰＳ１，ＰＳ２の上方の所定位置に移動する。
【００４４】
次に図４（ｄ）に示すように偏光板Ｐを搭載した吸着ステージＰＳ１，ＰＳ２は不動のまま、吸着ステージＰＳ１，ＰＳ２の中央に位置する貼り付けローラＲによって偏光板Ｐがその上方にある吸着ステージＣＳに搭載された液晶セルＣの中央に押し付けられて接触し、狭い帯状の領域において液晶セルＣと偏光板Ｐとが貼り付けられる。
【００４５】
次に図４（ｅ）に示すように液晶セルＣを搭載した吸着ステージＣＳの位置を固定のまま、貼り付けローラＲと、偏光板Ｐの右半分とを吸着した吸着ステージＰＳ２とを矢印で示す右方向に移動させる。この時、偏光板Ｐは吸着ステージＰＳ２上を滑りながら徐々に外れていき、最後は図４（ｆ）に示すように吸着ステージＰＳ２から外れて液晶セルＣの右半分に偏光板Ｐの右半分が貼り付けられる。
【００４６】
ここで、吸着ステージＰＳ２の偏光板Ｐに対する吸着力は、偏光板Ｐが傷つかないレベルとなるように事前に調整してある。また、品質上、問題がなければ、液晶セルＣと偏光板Ｐとが狭い帯状の領域に貼り付けされた後に吸着を解除しても構わない。更には偏光板Ｐに適正なテンションがかかるようにセンサを取り付けてダイナミックに吸着力を制御することも可能である。貼り付けローラＲは、液晶セルＣと偏光板Ｐとの間に空気が溜まって気泡とならないように吸着ステージＣＳの動きに同期して回転し、偏光板Ｐを液晶セルＣに押し付けていく。
【００４７】
次に液晶セルＣと偏光板Ｐの右半分とを貼り付けし終えた貼り付けローラＲは、図４（ｇ）に示すようにこのまま貼り付けローラＲと、偏光板Ｐの左半分を吸着した吸着ステージＰＳ１とを矢印で示す左方向に移動させる。この貼り付けローラＲが液晶セルＣの中央付近を越えた頃から、液晶セルＣと偏光板Ｐとの左半分の貼り付け動作を行うようになり、吸着ステージＰＳ１を矢印で示す右方向に動作させることになる。
【００４８】
これによって偏光板Ｐは、吸着ステージＰＳ１上を滑りながら徐々に外れていき、最後は図４（ｈ）に示すように貼り付けローラＲが吸着ステージＰＳ１から外れて液晶セルＣの左半分に偏光板Ｐの左半分が貼り付けられて貼り付け工程を終了する。その間、偏光板Ｐに適正なテンションを負荷しながら貼り付けを行うため、吸着ステージＣＳの移動に伴って偏光板Ｐは吸着ステージＰＳ１上を滑っていく。
【００４９】
このようにして液晶セルＣに偏光板Ｐを貼り終えて液晶表示素子Ｌとして完成品にした後、貼り付けローラＲを液晶表示素子Ｌから離す。この状態でアンローダ（図示せず）で液晶表示素子Ｌを排出するが、これもマニュアル動作でも構わない。この後、図４（ａ）に示す初期位置に貼り付け装置を戻し、次の液晶セルＣと偏光板Ｐとの貼り付けを行うものである。
【００５０】
このような貼り付け方法によれば、偏光板Ｐを吸着ステージＰＳ１と吸着ステージＰＳ２との２箇所を保持して液晶セルＣの主面近傍に位置決めした後に偏光板Ｐを保持する吸着ステージＰＳ１と吸着ステージＰＳ２との中央に貼り付けローラＲを押し付けて液晶セルＣの中央に偏光板Ｐの一部を接触させて貼り付けた後、貼り付けローラＲを一方向とその反対方向とに液晶セルＣの貼り付け面に沿って移動させることで液晶セルＣに偏光板Ｐを貼り付けるようにしたので、現状の貼り付け方法で生じ得た課題の内、貼り初め位置における微小気泡による不良及び糊引きによる不良等の発生を削減することができる。
【実施例２】
【００５１】
図５は、本発明による表示装置の製造方法及びその製造装置に係る液晶セルＣに偏光板Ｐを貼り付ける貼り付け方法及びその貼り付け装置の他の実施例を説明する断面図であり、図５（ａ）〜図５（ｈ）は貼り付け工程を示している。本実施例では、図４で説明した実施例１に対してタクトアップを図ったものである。
【００５２】
図５（ａ）は、本発明の実施例２である液晶セルＣ及び偏光板Ｐの投入前の貼り付け装置の位置関係を示す説明する図である。図５（ａ）に示すように貼り付け装置内の所定位置には、液晶セルＣを搭載する吸着ステージＣＳと、偏光板Ｐを搭載する吸着ステージＰＳ１及び吸着ステージＰＳ２とが平行な状態で待機して配置されている。
【００５３】
また、偏光板Ｐの吸着ステージＰＳ１と吸着ステージＰＳ２との中央には、貼り付け作業の際に偏光板Ｐを液晶セルＣに押し付ける貼り付けローラＲ１と貼り付けローラＲ２とが上下方向に配設されている。液晶セルＣ並びに偏光板Ｐは、それぞれの吸着ステージＣＳ，ＰＳ１，ＰＳ２に位置決め、セットできるように上下方向には互いに干渉しない位置で待機する。液晶セルＣ並びに偏光板Ｐの位置決め、セットはそれぞれ個別の機構（図示せず）にて行われるが、マニュアル作業でも構わない。
【００５４】
まず、最初に図５（ｂ）に示すように液晶セルＣは吸着ステージＣＳの下方に、また、偏光板Ｐは吸着ステージＰＳ１，ＰＳ２及び貼り付けローラＲ２の上方にそれぞれ所定位置に位置決め、セットされて真空吸着により保持されて搭載される。次に図５（ｃ）に示すように液晶セルＣを搭載した吸着ステージＣＳが偏光板Ｐを搭載した吸着ステージＰＳ１，ＰＳ２の上方の所定位置に移動する。
【００５５】
次に図５（ｄ）に示すように偏光板Ｐを搭載した吸着ステージＰＳ１，ＰＳ２は、不動のまま、吸着ステージＰＳ１，ＰＳ２の中央に位置した貼り付けローラＲ２によって偏光板Ｐがその上方にある吸着ステージＣＳに搭載された液晶セルＣの中央に押し付けられて接触し、狭い帯状の領域において液晶セルＣと偏光板Ｐとが貼り付けられる。
【００５６】
次に図５（ｅ）に示すように液晶セルＣを搭載した吸着ステージＣＳの位置を固定のまま、貼り付けローラＲ２と、偏光板Ｐの右半分を吸着した吸着ステージＰＳ２とを矢印で示す右方向に移動させる。この時、偏光板Ｐは吸着ステージＰＳ２上を滑りながら徐々に外れていき、最後は吸着ステージＰＳ２から外れて液晶セルＣの右半分に偏光板Ｐの右半分が貼り付けられる。その間、偏光板Ｐに適正なテンションを負荷しながら貼り付けを行うため、吸着ステージＣＳの移動に伴って偏光板Ｐは吸着ステージＰＳ２上を滑っていく。
【００５７】
このようにして貼り付けローラＲ２が液晶セルＣと偏光板Ｐの右半分とを貼り付けしている途中から、貼り付けローラＲ１が所定の位置に上昇し、図５（ｆ）に示すように偏光板Ｐの左半分を吸着した吸着ステージＰＳ１と共に矢印で示す左方向に移動させる。この時、偏光板Ｐは吸着ステージＰＳ１上を滑りながら徐々に外れていき、最後は吸着ステージＰＳ１から外れて液晶セルＣの左半分に偏光板の左半分が貼り付けられて貼り付け工程を終了する。
【００５８】
ここで、吸着ステージＰＳ２の偏光板Ｐに対する吸着力は偏光板Ｐが傷つかないレベルとなるように事前に調整してある。また、品質上、問題がなければ、液晶セルＣと偏光板Ｐとが狭い帯状の領域に貼り付けされた後に吸着を解除しても構わない。更には偏光板Ｐに適正なテンションがかかるようにセンサを取り付けてダイナミックに吸着力を制御することも可能である。また、貼り付けローラＲ１，Ｒ２は、液晶セルＣと偏光板Ｐとの間に空気が溜まって気泡とならないように吸着ステージＣＳの動きに同期して回転し、偏光板Ｐを液晶セルＣに押し付けていく。
【００５９】
次に図５（ｇ）に示すように液晶セルＣに偏光板Ｐを貼り終えて液晶表示素子Ｌとして完成品にした後、図５（ｈ）に示すように貼り付けローラＲ１，Ｒ２を矢印で示す下方向に液晶表示素子Ｌから離す。この状態でアンローダ（図示せず）で液晶表示素子Ｌを排出するが、これもマニュアル動作でも構わない。この後、貼り付けローラＲ１，Ｒ２をそれぞれ右方向，左方向に移動させ、上述した図５（ａ）に示す初期位置に製造装置を戻し、次の液晶セルＣと偏光板Ｐとの貼り付けを行うものである。
【００６０】
このような貼り付け方法によれば、現状の貼り付け方法で生じ得た課題の内、貼り初め位置における微小気泡による不良及び糊引きによる不良等の発生を削減できる。また。２つの貼り付けローラＲ１，Ｒ２で貼り付け作業を行うため、上述した図４に示す実施例１で実現できるタクトタイムのおよそ半分となる高速生産が可能となる効果が得られる。なお、貼り付け手段は、ローラＲ１，Ｒ２の２個に限定する必要がなく、機構の領域が許せばより多くの貼り付けローラを用いて貼り付けて作業を行ってタクトタイムをさらに向上させることも可能である。
【実施例３】
【００６１】
図６は、本発明による表示装置の製造方法及びその製造装置に係る液晶セルＣと偏光板Ｐの貼り付け方法及びその貼り付け装置のさらに他の実施例を説明する断面図であり、図６（ａ）〜図６（ｈ）は貼り付け工程を示している。
【００６２】
図６（ａ）は、本発明の実施例３である液晶セルＣ及び偏光板Ｐの投入前の貼り付け装置の位置関係を示す説明する断面図である。図６（ａ）に示すように貼り付け装置内の所定位置には、液晶セルＣの吸着ステージＣＳと、偏光板Ｐの吸着ステージＰＳ１及び吸着ステージＰＳ２とが平行な状態で待機して配置されている。また、偏光板Ｐの吸着ステージＰＳ１と吸着ステージＰＳ２との中央には、貼り付け作業の際に偏光板Ｐを液晶セルＣに押し付ける貼り付け用半円筒形部材Ｄが揺動自在に配設されている。
【００６３】
液晶セルＣ並びに偏光板Ｐは、それぞれの吸着ステージＣＳと、吸着ステージＰＳ１及び吸着ステージＰＳ２とに位置決め、セットできるように上下方向には互いに干渉しない位置で待機する。液晶セルＣ並びに偏光板Ｐの位置決め、セットはそれぞれ個別の機構（図示せず）にて行われるが、マニュアル作業でも構わない。
【００６４】
まず、最初に図６（ｂ）に示すように液晶セルＣは吸着ステージＣＳの下方に、また、偏光板Ｐは吸着ステージＰＳ１，ＰＳ２及び貼り付け用半円筒形部材Ｄの上方にそれぞれ所定位置に位置決め、セットされて真空吸着により保持されて搭載される。次に図６（ｃ）に示すように液晶セルＣを搭載した吸着ステージＣＳが偏光板Ｐを搭載した吸着ステージＰＳ１，ＰＳ２の上方の所定位置に矢印で示す左方向に移動する。
【００６５】
次に図６（ｄ）に示すように偏光板Ｐを搭載した吸着ステージＰＳ１，ＰＳ２は、不動のまま、吸着ステージＰＳ１，ＰＳ２の中央に位置した貼り付け用半円筒形部材Ｄの矢印で示す上方向の移動によって偏光板Ｐがその上方にある吸着ステージＣＳに搭載された液晶セルＣの中央に押し付けられて接触し、狭い帯状の領域において液晶セルＣと偏光板Ｐとが貼り付けられる。
【００６６】
次に図６（ｅ）に示すように液晶セルＣを搭載した吸着ステージＣＳを矢印で示す左方向に動かすことで貼り付け用半円筒形部材Ｄがその吸着ステージＣＳに搭載された液晶セルＣと同期して矢印で示す方向に転がり、偏光板Ｐの右半分を吸着した吸着ステージＰＳ２を液晶セルＣに対して相対的に矢印で示す右方向に移動させる。この時、偏光板Ｐは吸着ステージＰＳ２上を滑りながら徐々に外れていき、最後は図６（ｆ）に示すように吸着ステージＰＳ２から外れて液晶セルＣの右半分に偏光板Ｐの右半分が貼り付けられる。
【００６７】
ここで、吸着ステージＰＳ２の偏光板Ｐに対する吸着力は、偏光板Ｐが傷つかないレベルとなるように事前に調整してある。また、品質上、問題がなければ、液晶セルＣと偏光板Ｐとが狭い帯状の領域に貼り付けされた後に吸着を解除しても構わない。更には偏光板Ｐに適正なテンションがかかるようにセンサを取り付けてダイナミックに吸着力を制御することも可能である。貼り付け用半円筒形部材Ｄは、液晶セルＣと偏光板Ｐとの間に空気が溜まって気泡とならないように吸着ステージＣＳの動きに同期して回転し、偏光板Ｐを液晶セルＣに押し付けていく。
【００６８】
次に図６（ｇ）に示すように液晶セルＣと偏光板Ｐの右半分とを貼り付けし終えた吸着ステージＣＳは、このまま矢印で示す右方向に移動させると、貼り付け用半円筒形部材Ｄは、吸着ステージＣＳの動きに同期して今度は矢印で示す時計回り方向に転がり動作をしながら、液晶セルＣに偏光板Ｐを貼り付けることになる。この吸着ステージＣＳが液晶セルＣの中央付近を越えて液晶セルＣと偏光板Ｐの左半分との貼り付け工程を行う頃から吸着ステージＰＳ１を矢印で示す左方向に動作させることになる。
【００６９】
これによって偏光板Ｐは吸着ステージＰＳ１上を滑りながら徐々に外れていき、最後は吸着ステージＰＳ１から外れて液晶セルＣの左半分に偏光板の左半分が貼り付けられて貼り付け工程を終了する。その間、偏光板Ｐに適正なテンションを負荷しながら、貼り付けを行うため、吸着ステージＣＳの移動に伴って偏光板Ｐは吸着ステージＰＳ１上を滑っていく。
【００７０】
このようにして液晶セルＣに偏光板Ｐを貼り終えて液晶表示素子Ｌとして完成品にした後、図６（ｈ）に示すように貼り付けローラＲを矢印で示す下方向に移動させて液晶表示素子Ｌから離す。この状態でアンローダ（図示せず）で液晶表示素子Ｌを排出するが、これもマニュアル動作でも構わない。この後、上述した図６（ａ）に示す初期位置に製造装置を戻し、次の液晶セルＣと偏光板Ｐの貼り付けを行うものである。
【００７１】
このような貼り付け方法によれば、図４及び図５に示す貼り付けローラＲ１，Ｒ２に代えて貼り付け用半円筒形部材Ｄを用いて貼り付け作業を行うことにより、現状の貼り付け方法で生じ得た課題の内、貼り初め位置における微小気泡による不良及び糊引きによる不良等の発生を削減することができる。また、このような製造装置によれば、図４及び図５に示す実施例１，２に比較して貼り付け装置構造を簡素化することができる。
【実施例４】
【００７２】
図７は、本発明による表示装置の製造方法及びその製造装置に係る液晶セルＣと偏光板Ｐとの貼り付け方法及びその貼り付け装置の他の実施例を説明する断面図であり、図７（ａ）〜図７（ｇ）は貼り付け工程を示している。本実施例では、上記図６で説明した実施例３に対して更なるタクトアップ及び製造装置の簡素化を狙ったものである。
【００７３】
図７（ａ）は、本発明の実施例４である液晶セルＣ及び偏光版Ｐの投入前の貼り付け装置の位置関係を説明する断面図である。図７（ａ）に示すように液晶セルＣの吸着ステージＣＳと、偏光板Ｐの吸着ステージＰＳ１，ＰＳ２とが平行な状態で待機して配置されている。偏光板Ｐの吸着ステージＰＳ１と吸着ステージＰＳ２との中央には、貼り付け作業の際に偏光板Ｐを液晶セルＣに押し付ける２つの貼り付け用の１／４円筒形部材Ｄ１と１／４円筒形部材Ｄ２とが揺動自在に並設させている。
【００７４】
液晶セルＣ並びに偏光板Ｐは、それぞれの吸着ステージＣＳと吸着ステージＰＳ１，ＰＳ２とに位置決め、セットできるように上下方向には互いに干渉しない位置で待機する。液晶セルＣ並びに偏光板Ｐの位置決め、セットはそれぞれ個別の機構（図示せず）にて行われるが、マニュアル作業でも構わない。
【００７５】
まず、最初に図７（ｂ）に示すように液晶セルＣは、吸着ステージＣＳの下方に、また、偏光板Ｐは、吸着ステージＰＳ１，ＰＳ２及び貼り付け用１／４円筒形部材Ｄ１，Ｄ２の上方にそれぞれ所定位置に位置決め、セットされて真空吸着により保持されて搭載される。次に図７（ｃ）に示すように液晶セルＣを搭載した吸着ステージＣＳが偏光板Ｐを搭載した吸着ステージＰＳ１，ＰＳ２の上方の所定位置に矢印で示す左方向に移動する。
【００７６】
次に図７（ｄ）に示すように偏光板Ｐを搭載した吸着ステージＰＳ１，ＰＳ２は、不動のまま、吸着ステージＰＳ１，ＰＳ２の中央に位置した貼り付け用１／４円筒形部材Ｄ１，Ｄ２の矢印で示す上方向の移動によって偏光板Ｐがその上方にある吸着ステージＣＳに搭載された液晶セルＣの中央に押し付けられて接触し、狭い帯状の領域において液晶セルＣと偏光板Ｐとが貼り付けられる。
【００７７】
次に図７（ｅ）に示すように液晶セルＣを搭載した吸着ステージＣＳの位置を固定のまま、貼り付け用１／４円筒形部材Ｄ１，Ｄ２を、それぞれ矢印で示す時計回り方向と半時計回り方向に転がり動作を行い、同時に偏光板Ｐのそれぞれ右半分と左半分とを吸着した吸着ステージＰＳ２，ＰＳ１とをそれぞれ矢印で示す右方向及び左方向に移動させる。この時、偏光板Ｐは、吸着ステージＰＳ１，ＰＳ２上を滑りながら徐々に外れていき、最後は図７（ｆ）に示すように吸着ステージＰＳ１，ＰＳ２から外れて液晶セルＣに偏光板Ｐが貼り付けられる。このようにして貼り付け用１／４円筒形部材Ｄ１，Ｄ２は同時に液晶セルＣに偏光板Ｐを貼り付けることになり、タクトアップにつながる。
【００７８】
次に図７（ｇ）に示すように液晶セルＣに偏光板Ｐを貼り終えて液晶表示素子Ｌとして完成品にした後、貼り付け用１／４円筒形部材Ｄ１，Ｄ２を図７（ｈ）に示すようにそれぞれ矢印で示す右方向及び左方向にそれぞれ移動させて液晶表示素子Ｌから離す。この状態でアンローダ（図示せず）で液晶表示素子Ｌを排出するが、これもマニュアル動作でも構わない。この後、上述した図７（ａ）に示す初期位置に貼り付け装置を戻し、次の液晶セルＣと偏光板Ｐとの貼り付けを行うものである。
【００７９】
このような貼り付け方法によれば、現状の貼り付け方法で生じ得た課題の内、貼り初め位置における微小気泡による不良及び糊引きによる不良等の発生を削減することができる。また、このような貼り付け装置によれば、２つの貼り付け用１／４円筒形部材Ｄ１，Ｄ２で貼り付け作業を行うため、図６で説明した実施例３で実現できるタクトタイムのおよそ半分と高速生産が可能となる。また、図４〜図６までの何れの貼り付け装置よりも簡素化が可能となる。なお、貼り付け手段は２個に限定する必要がなく、製造装置の領域が許せば、より多くの貼り付け用１／４円筒形部材を用いて貼り付けて作業を行ってタクトタイムをさらに向上させることができる。さらに１／４円筒形部材Ｄ１，Ｄ２で偏光板Ｐを吸着制御できれば、吸着ステージＰＳ１，ＰＳ２の省略も可能である。
【実施例５】
【００８０】
図８は、図６及び図７で説明した貼り付け用円筒形部材Ｄの曲面半径をさらに大きくして平面に近くした場合の貼り付け装置の構成を示す断面図である。図８に示す貼り付け装置は、吸着ステージＣＳに搭載された液晶セルＣに対して真空吸着による偏光板Ｐの搭載機能を有する円筒形貼り付け部材Ｄを下方に設け、その円筒形貼り付け部材Ｄに搭載された偏光板Ｐを上方の液晶セルＣに接触させ、押し付けて貼り付けるものである。上述した図７に示すように円筒型貼り付け用１／４円筒形部材Ｄ１，Ｄ２を２分割して液晶セルＣと偏光板Ｐとのそれぞれの右半分と左半分同士とを同時に貼り付けることによりタクトタイムを速くすることも可能である。
【００８１】
このような貼り付け装置によれば、上述した実施例１〜実施例４よりも貼り付け装置を小形化且つ簡素化することが可能となる。また、液晶セルＣと偏光板Ｐとの最初の接触面積を大きく取ることができ、現状の貼り付け方法及びその貼り付け装置で課題となっていた貼り付け手段の衝撃力によって偏光板Ｐ及び偏光板Ｐに塗布された粘着剤Ａの厚さが微妙に変化し、液晶表示素子Ｌとしてその初期接触点において視覚ムラとなって見えてしまう不良を解決することが可能となる。
【実施例６】
【００８２】
図９は、上述した本発明の各実施例において、貼り付け装置の衝撃力によって偏光板Ｐ及び偏光板Ｐに塗布された粘着剤Ａの厚さが微妙に変化し、液晶表示素子Ｌとしてその初期接触点において視覚ムラとなって見えてしまう不良を解決可能とする生産方法を示す他の実施例を説明する断面図である。上述した実施例１を例にとると、吸着ステージＣＳに搭載された液晶セルＣに対して吸着ステージＰＳ１，ＰＳ２に搭載された偏光板Ｐを初めに押し当てて、貼り付け開始する際に貼り付けローラＲを上昇開始すると同時に貼り付けローラＲと吸着ステージＰＳ２とを矢印で示す右方向に移動させて液晶セルＣと偏光板Ｐとが最初に接するポイントで当たり角度θとなるようにしたものである。この当たり角度θは約４５度以下の鋭角である。
【００８３】
実際の使用では、当たり角度θを約３度以下とすることで不良率を約１／３とすることができた。このように当たり角度θを鋭角とすることで最初の衝撃力をより広い面積で受けて分散させることができ、貼り付け装置の衝撃力によって偏光板Ｐ及び偏光板Ｐに塗布された粘着剤Ａの厚さが微妙に変化し、液晶表示素子Ｌとしてその初期接触点において視覚ムラとなって見えてしまう不良の発生を解決することができる。
【００８４】
なお、前述した各実施例においては、フィルムを貼り付ける主面がガラス製の表示パネルの場合について説明したが、本発明はこれに限定されるものではなく、透光性樹脂製の表示パネルに適用しても前述と全く同様の効果が得られることは勿論である。
【００８５】
また、前述した各実施例においては、表示パネルの主面，フィルムの貼り付け面またはその両方が矩形状平面の適用した場合について説明したが、本発明はこれに限定されるものではなく、長円形状，楕円形状または帯状などの平面に適用しても前述と全く同様の効果が得られることは勿論である。
【００８６】
また、前述した各実施例においては、表示パネルの主面に貼り付けるフィルムとして樹脂製の偏光板を用いた場合について説明したが、本発明はこれに限定されるものではなく、表面保護膜，フィルタ膜または絶縁膜などこれらに類似する貼り付け膜の貼り付け方法に適用しても前述と全く同様の効果が得られることは勿論である。
【００８７】
また、前述した各実施例においては、表示装置として液晶表示装置に適用した場合について説明したが、本発明はこれに限定されるものではなく、無機ＥＬ表示装置または有機ＥＬ表示装置，ＦＥＤなどの画像表示面が平坦状に形成される各種の平板型表示装置、例えばテレビジョン，パソコン，モニタ，ディスプレイなどに適用しても先述と全く同様な効果が得られることは勿論である。
【図面の簡単な説明】
【００８８】
【図１】本発明に係る表示パネルの構成を説明する斜視図である。
【図２（ａ）】現状の表示装置の製造方法に用いるその製造装置の構成を示す断面図である。
【図２（ｂ）】現状の液晶セルと偏光板との貼り付け方法を説明する断面図である。
【図２（ｃ）】図２（ｂ）に引き続く工程の断面図である。
【図２（ｄ）】図２（ｃ）に引き続く工程の断面図である。
【図２（ｅ）】図２（ｄ）に引き続く工程の断面図である。
【図２（ｆ）】図２（ｅ）に引き続く工程の断面図である。
【図２（ｇ）】図２（ｆ）に引き続く工程の断面図である。
【図２（ｈ）】図２（ｇ）に引き続く工程の断面図である。
【図３】現状の貼り付け方法を用いて液晶セルと偏光板とを貼り付けた場合に生じる糊引き不良及び視覚ムラ不良の発生状態を説明する断面図である。
【図４（ａ）】本発明による表示装置の製造方法に用いるその製造装置の実施例１による構成を示す断面図である。
【図４（ｂ）】本発明による表示装置の製造方法の実施例１を説明する液晶セルと偏光板との貼り付け方法を説明する工程の断面図である。
【図４（ｃ）】図４（ｂ）に引き続く工程の断面図である。
【図４（ｄ）】図４（ｃ）に引き続く工程の断面図である。
【図４（ｅ）】図４（ｄ）に引き続く工程の断面図である。
【図４（ｆ）】図４（ｅ）に引き続く工程の断面図である。
【図４（ｇ）】図４（ｆ）に引き続く工程の断面図である。
【図４（ｈ）】図４（ｇ）に引き続く工程の断面図である。
【図５（ａ）】本発明による表示装置の製造方法に用いるその製造装置の実施例２による構成を示す断面図である。
【図５（ｂ）】本発明による表示装置の製造方法の実施例２を説明する液晶セルと偏光板との貼り付け方法を説明する断面図である。
【図５（ｃ）】図５（ｂ）に引き続く工程の断面図である。
【図５（ｄ）】図５（ｃ）に引き続く工程の断面図である。
【図５（ｅ）】図５（ｄ）に引き続く工程の断面図である。
【図５（ｆ）】図５（ｅ）に引き続く工程の断面図である。
【図５（ｇ）】図５（ｆ）に引き続く工程の断面図である。
【図５（ｈ）】図５（ｇ）に引き続く工程の断面図である。
【図６（ａ）】本発明による表示装置の製造方法に用いるその製造装置の実施例３による構成を示す断面図である。
【図６（ｂ）】本発明による表示装置の製造方法の実施例３を説明する液晶セルと偏光板との貼り付け方法を説明する断面図である。
【図６（ｃ）】図６（ｂ）に引き続く工程の断面図である。
【図６（ｄ）】図６（ｃ）に引き続く工程の断面図である。
【図６（ｅ）】図６（ｄ）に引き続く工程の断面図である。
【図６（ｆ）】図６（ｅ）に引き続く工程の断面図である。
【図６（ｇ）】図６（ｆ）に引き続く工程の断面図である。
【図６（ｈ）】図６（ｇ）に引き続く工程の断面図である。
【図７（ａ）】本発明による表示装置の製造方法に用いるその製造装置の実施例４による構成を示す断面図である。
【図７（ｂ）】本発明による表示装置の製造方法の実施例４を説明する液晶セルと偏光板との貼り付け方法を説明する断面図である。
【図７（ｃ）】図７（ｂ）に引き続く工程の断面図である。
【図７（ｄ）】図７（ｃ）に引き続く工程の断面図である。
【図７（ｅ）】図７（ｄ）に引き続く工程の断面図である。
【図７（ｆ）】図７（ｅ）に引き続く工程の断面図である。
【図７（ｇ）】図７（ｆ）に引き続く工程の断面図である。
【図８】本発明による表示装置の製造方法に用いるその製造装置の実施例５による構成を示す断面図である。
【図９】本発明による表示装置の製造方法に用いるその製造装置の実施例６による構成を示す断面図である。
【符号の説明】
【００８９】
Ｌ・・・液晶表示素子、Ｃ・・・液晶セル（液晶表示パネル）、Ｐ・・・偏光板（フィルム）、Ａ・・・粘着剤、ＣＳ・・・液晶セルの吸着ステージ、ＰＳ・・・偏光板の吸着ステージ、ＰＳ１・・・偏光板の吸着ステージ、ＰＳ２・・・偏光板の吸着ステージ、Ｒ・・・貼り付けローラ、Ｒ１・・・貼り付けローラ、Ｒ２・・・貼り付けローラ、Ｄ・・・貼り付け用半円筒形部材、Ｄ１・・・貼り付け用１／４円筒形部材、Ｄ２・・・貼り付け用１／４円筒形部材、ＰＧ・・・偏光板の窪み、ＡＡ・・・糊引き不良部。
【図１】
2005156907.tif 000003
【図２（ａ）】
2005156907.tif 000004
【図２（ｂ）】
2005156907.tif 000005
【図２（ｃ）】
2005156907.tif 000006
【図２（ｄ）】
2005156907.tif 000007
【図２（ｅ）】
2005156907.tif 000008
【図２（ｆ）】
2005156907.tif 000009
【図２（ｇ）】
2005156907.tif 000010
【図２（ｈ）】
2005156907.tif 000011
【図３】
2005156907.tif 000012
【図４（ａ）】
2005156907.tif 000013
【図４（ｂ）】
2005156907.tif 000014
【図４（ｃ）】
2005156907.tif 000015
【図４（ｄ）】
2005156907.tif 000016
【図４（ｅ）】
2005156907.tif 000017
【図４（ｆ）】
2005156907.tif 000018
【図４（ｇ）】
2005156907.tif 000019
【図４（ｈ）】
2005156907.tif 000020
【図５（ａ）】
2005156907.tif 000021
【図５（ｂ）】
2005156907.tif 000022
【図５（ｃ）】
2005156907.tif 000023
【図５（ｄ）】
2005156907.tif 000024
【図５（ｅ）】
2005156907.tif 000025
【図５（ｆ）】
2005156907.tif 000026
【図５（ｇ）】
2005156907.tif 000027
【図５（ｈ）】
2005156907.tif 000028
【図６（ａ）】
2005156907.tif 000029
【図６（ｂ）】
2005156907.tif 000030
【図６（ｃ）】
2005156907.tif 000031
【図６（ｄ）】
2005156907.tif 000032
【図６（ｅ）】
2005156907.tif 000033
【図６（ｆ）】
2005156907.tif 000034
【図６（ｇ）】
2005156907.tif 000035
【図６（ｈ）】
2005156907.tif 000036
【図７（ａ）】
2005156907.tif 000037
【図７（ｂ）】
2005156907.tif 000038
【図７（ｃ）】
2005156907.tif 000039
【図７（ｄ）】
2005156907.tif 000040
【図７（ｅ）】
2005156907.tif 000041
【図７（ｆ）】
2005156907.tif 000042
【図７（ｇ）】
2005156907.tif 000043
【図８】
2005156907.tif 000044
【図９】
2005156907.tif 000045